(57)【要約】      （修正有）【課題】容易且つ短時間でサムターンを回動させて解錠できるサムターン解錠工具及びサムターン解錠方法を提供する。【解決手段】ドアＤに形成されたドアスコープの孔ｈに、ドアＤの正面側から挿通可能な外径を有する棒状体であって、屈折により所定の方向に角度変更可能な屈折部１１１を有する胴部１１０と、胴部１１０の一端に設けられ、孔ｈに挿通可能であるとともに、ドアＤに設けられた施錠装置のサムターンＳを把持するための把持ツール１２０と、孔ｈに挿通された把持ツール１２０とともに、屈折部１１１がドアＤの背面側にある状態で、ドアＤの正面側からの操作により、把持ツール１２０がサムターンＳを把持可能となる方向に屈折部１１１を屈折させ、サムターンＳを把持した把持ツール１２０を回動させる第１の操作部１３０と、を有する。【選択図】図３
2020026722.tif 000002
【特許請求の範囲】
【請求項１】
ドアに形成されたドアスコープの孔に、前記ドアの正面側から挿通可能な外径を有する棒状体であって、屈折により所定の方向に角度変更可能な屈折部を有する胴部と、
前記胴部の一端に設けられ、前記孔に挿通可能であるとともに、前記ドアに設けられた施錠装置のサムターンを把持するための把持ツールと、
前記孔に挿通された前記把持ツールとともに、前記屈折部が前記ドアの背面側にある状態で、前記ドアの正面側からの操作により、前記把持ツールが前記サムターンを把持可能となる方向に前記屈折部を屈折させ、前記サムターンを把持した前記把持ツールを回動させる第１の操作部と、
を有することを特徴とするサムターン解錠工具。
【請求項２】
前記胴部の一端は、略円弧状の湾曲部を有することを特徴とする請求項１記載のサムターン解錠工具。
【請求項３】
前記第１の操作部は、一端が前記把持ツールに接続されるとともに、前記胴部の他端側に延びたワイヤを有することを特徴とする請求項１又は請求項２記載のサムターン解錠工具。
【請求項４】
前記胴部に対する前記ワイヤの位置を固定するワイヤストッパーを有することを特徴とする請求項３記載のサムターン解錠工具。
【請求項５】
前記胴部の長さを可変とする伸縮部を有することを特徴とする請求項１乃至４のいずれかに記載のサムターン解錠工具。
【請求項６】
前記孔に挿入された前記胴部の挿入方向への移動を規制するストッパーを有することを特徴とする請求項１乃至５のいずれかに記載のサムターン解錠工具。
【請求項７】
前記把持ツールは、前記サムターンを挟む挟持部を有し、
前記挟持部は、前記サムターンのボタンに沿って前記挟持部の移動をガイドするガイド孔を有することを特徴とする請求項１乃至６のいずれかに記載のサムターン解錠工具。
【請求項８】
前記サムターンの画像を検出する撮像部と、
前記ドアの正面側から前記撮像部の光軸の角度を操作する第２の操作部を有することを特徴とする請求項１乃至７のいずれかに記載のサムターン解錠工具。
【請求項９】
請求項１乃至８のいずれかに記載のサムターン解錠工具を用いて、前記サムターンを回動させて解錠するサムターン解錠方法。
【発明の詳細な説明】
【技術分野】
【０００１】
本発明は、サムターン解錠工具及びサムターン解錠方法に関する。
【背景技術】
【０００２】
一般的なドアには、ドアノブやレバー等のハンドルと、ドア枠に設けられたストライクと、ストライクに係止されてドアの開きを防止するラッチボルトが設けられている。ハンドルを回動させると、ラッチボルトが移動して、ストライクから外れるので、ドアを開けることができる。
【０００３】
そして、外部からの侵入を防止すべきドアには、各種の施錠装置が設けられている。非常に多く普及している施錠装置としては、室外側の鍵穴に鍵を挿入して回動させることにより、施錠、解錠を行うシリンダー錠がある。さらに、ドアの室内側には、サムターンが設けられている。サムターンは、人が指で摘んで回動させることにより、施錠装置の施錠及び解錠を、室内側から行うため部材である。
【先行技術文献】
【特許文献】
【０００４】
【特許文献１】特開２００３−３２８６１１号公報
【発明の開示】
【発明が解決しようとする課題】
【０００５】
ところで、ドアの施錠装置を鍵により施錠して外出した居住者が、鍵を紛失してしまった場合、戻ったときに、室外側から施錠装置を解錠できなくなってしまう。この場合、専門の業者に依頼して、施錠装置を解錠してもらう必要がある。業者は、鍵穴から工具を挿入して解錠することになるが、この作業は非常に難しく、熟練の業者であっても長時間を要する場合がある。これに対処するため、ドアスコープの孔を利用したサムターン解錠工具が存在する。
【０００６】
ドアスコープは、ドアを開けずに来訪者を確認できるようにするために設けられているが、このドアスコープを取り外した孔に、先端にサムターンを操作する操作ツールが設けられた長尺の細長い部材を挿入する。そして、操作ツールによってサムターンを叩いて又はサムターンを挟んで、遠隔から操作して回転させることによって解錠する。
【０００７】
しかしながら、ドアスコープの孔は水平方向に形成されているので、サムターン解錠工具は、水平部分を有する必要がある。また、孔から挿入されたサムターン解錠工具は、下方のサムターンに向かって曲がっている必要がある。そして、サムターンは水平方向となっている状態から回動させる必要があるので、これを挟む操作ツールは水平方向とする必要がある。このため、サムターン解錠工具は、孔からサムターンに達するまで、全体として略Ｕ字形状とする必要がある。
【０００８】
ところが、サムターン解錠工具を孔に挿入する際に全体がＵ字形状となっていると、把持ツールを設けた先端をドアの正面から孔に挿入する際に、他端がドアの正面に当たってしまうため、挿入することができない。このため、作業が困難となり、長時間を要していた。
【０００９】
本発明は、上記のような従来技術の問題点を解決するために提案されたものであり、その目的は、容易且つ短時間でサムターンを回動させて解錠できるサムターン解錠工具及びサムターン解錠方法を提供することにある。
【課題を解決するための手段】
【００１０】
上記の目的を達成するため、本発明のサムターン解錠工具は、ドアに形成されたドアスコープの孔に、前記ドアの正面側から挿通可能な外径を有する棒状体であって、屈折により所定の方向に角度変更可能な屈折部を有する胴部と、前記胴部の一端に設けられ、前記孔に挿通可能であるとともに、前記ドアに設けられた施錠装置のサムターンを把持するための把持ツールと、前記孔に挿通された前記把持ツールとともに、前記屈折部が前記ドアの背面側にある状態で、前記ドアの正面側からの操作により、前記把持ツールが前記サムターンを把持可能となる方向に前記屈折部を屈折させ、前記サムターンを把持した前記把持ツールを回動させる第１の操作部と、を有する。
【００１１】
前記胴部の一端は、略円弧状の湾曲部を有していてもよい。前記第１の操作部は、一端が前記把持ツールに接続されるとともに、胴部の他端側に延びたワイヤを有していてもよい。
【００１２】
前記胴部に対する前記ワイヤの位置を固定するワイヤストッパーを有していてもよい。前記胴部の長さを可変とする伸縮部を有していてもよい。前記孔に挿入された前記胴部の挿入方向への移動を規制するストッパーを有していてもよい。
【００１３】
前記把持ツールは、前記サムターンを挟む挟持部を有し、前記挟持部は、前記サムターンのボタンに沿って前記挟持部の移動をガイドするガイド孔を有していてもよい。
【００１４】
前記サムターンの画像を検出する撮像部と、前記ドアの正面側から前記撮像部の光軸の角度を操作する第２の操作部を有していてもよい。
【００１５】
上記のサムターン解錠工具を用いて、前記サムターンを回動させて解錠するサムターン解錠方法も、本発明の一態様である。
【発明の効果】
【００１６】
以上のような本発明によれば、容易且つ短時間でサムターンを回動させて解錠できるサムターン解錠工具及びサムターン解錠方法を提供することができる。
【図面の簡単な説明】
【００１７】
【図１】実施形態が適用されるドアを示す正面図（Ａ）、背面図（Ｂ）である。
【図２】ドアに設けられたサムターンを示す平面図（Ａ）、側面図（Ｂ）である。
【図３】実施形態のサムターン解錠工具を示す一部断面側面図である。
【図４】伸縮部の構成を示す側面図（Ａ）、軸方向に切断した断面図（Ｂ）、径方向に切断した断面図（Ｃ）である。
【図５】把持ツールを示す平面図（Ａ）、側面図（Ｂ）である。
【図６】実施形態の挿入開始時を示す一部を断面とした側面図である。
【図７】実施形態の挿入後を示す一部を断面とした側面図である。
【図８】把持ツールのサムターン把持手順を示す説明図であり、（Ａ）〜（Ｅ）の左図が平面図、右図が側面図である。
【図９】ガイド孔によるガイドを示す説明図である。
【発明を実施するための形態】
【００１８】
本発明の実施形態を、図面を参照して説明する。なお、図３〜図７においては、孔に対する部材の挿通状態を示すために、一部を断面図で示している。また、図８及び図９においては、部材の重なり状態を理解し易くするために、一部を透視図で示している。
【００１９】
［ドア］
まず、図１及び図２を参照して、本実施形態の適用対象となるドアＤを説明する。なお、以下の説明では、ドアＤの室外側を正面、ドアＤの室内側を背面とする。ドアＤが設置された建造物の床側又は地面側を下、天井側又は空側を上とする。また、ドアＤの正面に向かう人が自分に向かって引っ張る方向を手前側、自分から離れるように押す方向を奥側とする。
【００２０】
ドアＤは長方形状の板状であり、図示しない蝶番によって、正面から見て右側が壁のドア枠に回動可能に設けられている。なお、左側が回動可能に設けられていてもよい。ドアＤの上下の中央部近傍であって、正面から見て左寄りにはハンドルＨ１が設けられ（図１（Ａ）参照）、背面から見て右寄りにはハンドルＨ２が設けられている（図１（Ｂ）参照）。ハンドルＨ１、Ｈ２は、ノブ形状又はレバー形状であり、ドアＤに内蔵された図示しないシリンダー錠に、回動可能に取り付けられている。
【００２１】
シリンダー錠は、室外側のハンドルＨ１又はその近傍に設けられた鍵穴Ｋに、正規の鍵を挿入して回動させることにより、ドアＤの開く側の側面からデッドボルトを進退させる。デッドボルトが進出することにより、ドア枠に設けられた図示しないストライクの穴に嵌る施錠状態となり、退入することによりストライクから外れる解錠状態となる。施錠された状態から、鍵穴Ｋに正規の鍵を挿入して回動することにより、室外から解錠することができる。
【００２２】
ハンドルＨ１、Ｈ２は、人が把持して回動させることにより、図示しないラッチボルトをストライクに係脱させる。ハンドルＨ１、Ｈ２は、人が把持して回動させて、手前側に引くことによりドアＤを開けることができ、奥側に押すことによりドアＤを閉じることができる。この方向は、奥側に押すことにより開き、手前側に引くことにより閉じる構造であってもよい。
【００２３】
また、ドアＤの上半分の中央部には、ドアスコープが挿入される孔ｈが形成されている。この孔ｈは、直径が約１２ｍｍの略円筒形の貫通孔であり、軸がドアＤの正面及び背面に直交する水平方向となっている。孔ｈに挿入されるドアスコープは、内部に広角レンズを有する筒状体であって、ドアＤを開かなくても室内側から室外側を覗き見ることを可能とする部材である。
【００２４】
ドアＤの室内側には、図１（Ｂ）に示すように、ハンドルＨ２の近傍にサムターンＳが設けられている。サムターンＳは、回動可能な金属製のツマミである。サムターンＳを回動させることにより、シリンダー錠の施錠及び解錠を、室内側から行うことができる。ドアＤを閉めた後にサムターンＳを一方向に回動させることにより、デッドボルトがストライクに嵌るように進出して施錠される。サムターンＳを他方向に回動させることにより、デッドボルトがストライクから外れるように退入して解錠される。このようなサムターンＳは、人が指で摘んで回動させることができる。
【００２５】
さらに、サムターンＳには、図２に示すように、ボタンＢが設けられている。このボタンＢは、押圧することによりサムターンＳを回動可能とする。つまり、ボタンＢを押しながらでなければ、サムターンＳを回動できないようにして、サムターンＳに接触又は衝突しただけで容易に回動して解錠されてしまうことを防止している。
【００２６】
本実施形態が使用されるサムターンＳは、図２（Ａ）に示すように、平面視で略半円形状の板状であり、その相反する面に一対のボタンＢが設けられている。サムターンＳの相反する面は、曲面形状に窪んでいて、窪みの底部にボタンＢが配置されている。ボタンＢは、平面視で角丸長方形状のブロック状であり、長手方向がサムターンＳの回動の軸に沿っている。
【００２７】
［サムターン解錠工具］
図３〜図６を参照して、本実施形態のサムターン解錠工具１００を説明する。サムターン解錠工具１００は、胴部１１０、把持ツール１２０、第１の操作部１３０、パイプストッパー１５０、撮像部１６０、第２の操作部１７０、保持部１８０を有する。
【００２８】
（胴部）
胴部１１０は、ドアＤに形成されたドアスコープの孔ｈに、ドアＤの正面側から挿通可能な外径を有する棒状体である。胴部１１０は、屈折により所定の方向に角度変更可能な屈折部１１１を有している。胴部１１０における屈折部１１１を構成する部分は、直線状の硬質な部材であって、フレキシブルなワイヤやバネとは相違している。また、胴部１１０は、略円弧状の湾曲部１１２を有している。さらに、胴部１１０は、胴部１１０の長さを可変とする伸縮部１１３を有している。
【００２９】
より具体的には、胴部１１０は、断面が円形のパイプである。パイプは、金属製又は樹脂製の硬質な部材であることが好ましい。また、パイプの外径は、約８ｍｍ程度とすることが好ましい。胴部１１０は、主パイプ１１４、中間パイプ１１５、先端パイプ１１６を有する。主パイプ１１４は、直線状のパイプの一端が、略円弧状に湾曲した部材である。この湾曲部分が湾曲部１１２を構成している。
【００３０】
中間パイプ１１５は、一端が主パイプ１１４の湾曲部１１２側の先端に連結された直線状のパイプである。湾曲部１１２と中間パイプ１１５との連結部分は、伸縮部１１３を構成している。伸縮部１１３は、図４に示すように、接続パイプ１１３ａ、固定ネジ１１３ｂを有する。接続パイプ１１３ａは直線状のパイプであり、図４（Ｂ）、（Ｃ）に示すように、外周面の一部に平坦面１１３ｃが形成されている。接続パイプ１１３ａの一端は、湾曲部１１２の端部に挿入され、湾曲部１１２に形成されたネジ孔１１２ａに固定ネジ１１３ｂをねじ込むことにより、固定ネジ１１３ｂの先端が平坦面１１３ｃを押える。これにより、湾曲部１１２に対する軸方向の位置が固定される。
【００３１】
接続パイプ１１３ａの他端は、中間パイプ１１５の一端に挿入され、中間パイプ１１５に形成されたネジ孔１１５ａに固定ネジ１１３ｂをねじ込むことにより、固定ネジ１１３ｂの先端が平坦面１１３ｃを押えるので、中間パイプ１１５に対する位置が固定される。このように、平坦面１１３ｃに対する固定を行うことにより、胴部１１０の軸周りの回動を抑えている。また、固定ネジ１１３ｂを弛めて、主パイプ１１４と中間パイプ１１５との間隔を変えることにより、胴部１１０を伸縮させることができる。
【００３２】
先端パイプ１１６は、一端が中間パイプ１１５の他端に回動可能に設けられている。先端パイプ１１６は、屈折部１１１を構成している。つまり、中間パイプ１１５の他端には、径方向に挿入されたピン等の軸部が設けられ、先端パイプ１１６の一端は、この軸部を中心に回動する。先端パイプ１１６が回動する方向は、主パイプ１１４の湾曲部１１２以外の直線部分と同方向である。また、先端パイプ１１６の回動量θは、略９０°となるように規制されている。このため、図３に示すように、胴部１１０は、先端パイプ１１６が回動していない状態では、全体として略Ｌ字形となり、回動した状態では、全体として略Ｕ字形となる。例えば、先端パイプ１１６の回動端において、中間パイプ１１５の側面又は突起等のストッパと先端パイプ１１６の側面とが当接することによって、先端パイプ１１６の回動量θを規制することができる。先端パイプ１１６側にストッパを設けても良い。
【００３３】
（把持ツール）
把持ツール１２０は、図３、図５（Ａ）、（Ｂ）に示すように、胴部１１０の一端に設けられ、孔ｈに挿入可能であるとともに、ドアＤに設けられたサムターンＳを把持するための部材である。本実施形態の把持ツール１２０は、先端パイプ１１６の他端に取り付けられている。屈折部１１１により胴部１１０が屈折した場合には、把持ツール１２０の軸は胴部１１０の軸の延長線上に対して略直交する方向となり、胴部１１０が屈折していない場合には、把持ツール１２０の軸は胴部１１０の軸の延長線上に沿う方向になる。さらに、把持ツール１２０は、先端パイプ１１６の軸周りに回動可能に設けられている。
【００３４】
把持ツール１２０は、基体部１２１、挟持部１２２を有する。基体部１２１は、円筒形状の部材であり、一端が先端パイプ１１６の他端に取り付けられている。基体部１２１は、先端パイプ１１６に対して、軸を中心に回動可能に設けられている。挟持部１２２は、基体部１２１の他端に取り付けられた一対のクリップ部材１２２ａ、１２２ｂである。クリップ部材１２２ａ、１２２ｂは、それぞれの一端が基体部１２１に埋め込まれて固定された板状体である。挟持部１２２は、図５（Ｂ）に示すように、側面視で、基体部１２１側から間隔が広がった部分に連続して間隔が狭まり、さらに先端が相反する方向に広がるように略Ｓ字状に湾曲した形状を有している。一方のクリップ部材１２２ａは、他方のクリップ部材１２２ｂよりも長く形成されている。
【００３５】
さらに、クリップ部材１２２ａ、１２２ｂには、図５（Ａ）に示すように、ガイド孔１２２ｃが形成されている。ガイド孔１２２ｃは、クリップ部材１２２ａ、１２２ｂの先端側に、ボタンＢの平面視形状と相似形で僅かに小さく形成されている（図９（Ｃ）参照）。つまり、ガイド孔１２２ｃは、長手方向が基体部１２１の軸に沿う角丸長方形状である。なお、把持ツール１２０の外径は、孔ｈに挿入可能な１２ｍｍ以下であることが好ましい。挟持部１２２は、クリップ部材１２２ａ、１２２ｂが開いているときには孔ｈの径よりも広がった部分を有していてもよいが、その場合にも、クリップ部材１２２ａ、１２２ｂの間隔を狭めることにより孔ｈに挿入可能な大きさとなっている。
【００３６】
（第１の操作部）
第１の操作部１３０は、図３に示すように、孔ｈに挿通された把持ツール１２０とともに、屈折部１１１がドアＤの背面側にある状態で、ドアＤの正面側からの操作により、把持ツール１２０がサムターンＳを把持可能となる方向に、屈折部１１１を屈曲させる。また、第１の操作部１３０は、サムターンＳを把持した把持ツール１２０を回動させる。
【００３７】
第１の操作部１３０は、フレキシブルワイヤ１３１、ワイヤストッパー１３２、調整部１３３を有する。フレキシブルワイヤ１３１は、一端が胴部１１０の他端側に延びるとともに、他端が把持ツール１２０に接続された可撓性を有するワイヤである。
【００３８】
より具体的には、フレキシブルワイヤ１３１は胴部１１０内に挿入されており、その一端は胴部１１０の一端から露出している。フレキシブルワイヤ１３１の他端は、把持ツール１２０の基体部１２１に取り付けられている。フレキシブルワイヤ１３１の一端を手前に引っ張ると、把持ツール１２０が牽引されるとともに、先端パイプ１１６が約９０°回動する。つまり、屈折部１１１が屈曲することにより、把持ツール１２０の先端がサムターンＳに向かう。これにより、胴部１１０は略Ｕ字形となる。
【００３９】
また、フレキシブルワイヤ１３１を軸周りに回動させることにより、把持ツール１２０も軸周りに回動する。このため、クリップ部材１２２ａ、１２２ｂは、サムターンＳを挟持した状態で回動して、サムターンＳを回動させることができる。
【００４０】
ワイヤストッパー１３２は、胴部１１０に対するフレキシブルワイヤ１３１の相対位置を固定する部材である。ワイヤストッパー１３２は、固定部１３２ａ、グリップボルト１３２ｂを有する。固定部１３２ａは、球状の中実の部材である。固定部１３２ａには、挿通孔１３２ｃ、ネジ孔１３２ｄが形成されている。挿通孔１３２ｃは、固定部１３２ａの径に沿って貫通し、フレキシブルワイヤ１３１が挿通された孔である。ネジ孔１３２ｄは、挿通孔１３２ｃに直交し、外周から径に沿って挿通孔１３２ｃに達する孔であり、内周にネジ溝が形成されている。
【００４１】
グリップボルト１３２ｂは、ネジ部１３２ｅ、グリップ１３２ｆを有する。ネジ部１３２ｅは、周囲にネジが切られた棒状体であり、ネジ孔１３２ｄにねじ込むことにより、先端がフレキシブルワイヤ１３１に達する。グリップ１３２ｆは、ネジ部１３２ｅの他端に設けられ、ネジ部１３２ｅよりも径が大きく、周囲に凹凸が設けられた円柱形状の部材である。グリップ１３２ｆを握って回動させることにより、ネジ部１３２ｅを締め付けて、ネジ部１３２ｅの先端によってフレキシブルワイヤ１３１を固定することができる。
【００４２】
調整部１３３は、胴部１１０とフレキシブルワイヤ１３１との軸方向の相対位置を調整する部材である。調整部１３３は、ボルト部１３３ａ、ナット部１３３ｂを有する。ボルト部１３３ａは、周囲にネジが切られた円筒形状の部材であり、一端が胴部１１０の端部に取り付けられるとともに、内部にフレキシブルワイヤ１３１が挿通されている。ナット部１３３ｂは内周にネジが切られた六角筒であり、ボルト部１３３ａが挿入される。ボルト部１３３ａの外周のネジが、ナット部１３３ｂの内周のネジにねじ込まれる。これにより、ボルト部１３３ａの回動に従って、ボルト部１３３ａと胴部１１０との軸方向の相対位置が変化する。
【００４３】
調整部１３３は、胴部１１０の端部とワイヤストッパー１３２との間に介在し、ボルト部１３３ａを回動させると、ワイヤストッパー１３２とともにフレキシブルワイヤ１３１の胴部１１０に対する相対位置を調整できる。
【００４４】
（パイプストッパー）
パイプストッパー１５０は、孔ｈに挿入された胴部１１０の挿入方向への移動を規制する。パイプストッパー１５０は、図３に示すように、ブロック部１５１、ローレットネジ１５２を有する。ブロック部１５１は、直方体形状の中実の部材である。ブロック部１５１には、挿通孔１５１ａ、ネジ孔１５１ｂが形成されている。挿通孔１５１ａは、水平方向に沿って貫通し、胴部１１０の主パイプ１１４が挿通される孔である。ネジ孔１５１ｂは、挿通孔１５１ａに直交し、ブロック部１５１の天面から下方に向かって挿通孔１５１ａに達する孔であり、内周にネジ溝が形成されている。
【００４５】
ローレットネジ１５２は、ネジ部１５２ａ、グリップ１５２ｂを有する。ネジ部１５２ａは、周囲にネジが切られた棒状体であり、ネジ孔１５１ｂにねじ込むことにより、先端が主パイプ１１４に達する。グリップ１５２ｂは、ネジ部１５２ａの他端に設けられ、ネジ部１５２ａよりも径が大きく、周囲に凹凸が設けられた円柱形状の部材である。グリップ１５２ｂを握って回動させることにより、ネジ部１５２ａを締め付けて、ネジ部１５２ａの先端によって主パイプ１１４を固定することができる。
【００４６】
（撮像部）
撮像部１６０は、サムターンＳの画像を検出する装置である。撮像部１６０は、カメラ１６１、ケーブル１６２を有する。カメラ１６１は、ＣＣＤカメラである。ＣＣＤカメラは、レンズを介して撮像対象からの光線を、撮像素子の受光面に結像させ、光電変換により光の明暗に応じた量の電荷に変換して、順次電気信号として出力する。カメラ１６１は筒状であり、その径は、胴部１１０とともに孔ｈに挿入可能な大きさ、つまり４ｍｍ以下である。
【００４７】
ケーブル１６２は、カメラ１６１からの電気信号を、外部に送信する線状の導体である。ケーブル１６２は、可撓性を有し、一端がカメラ１６１に接続され、他端には、モニタＭが接続される。ケーブル１６２は、胴部１１０に沿って支持されているが、カメラ１６１に接続された端部、モニタＭに接続された端部は、胴部１１０に支持されておらず、角度変更可能となっている。モニタＭとしては、スマートフォン、タブレット端末など、表示装置を備えた情報端末を用いることができる。
【００４８】
（第２の操作部）
第２の操作部１７０は、ドアＤの正面側から撮像部１６０の光軸の角度を操作する部材である。第２の操作部１７０は、ワイヤ１７１を有する。ワイヤ１７１は、一端がカメラ１６１の先端近傍に取り付けられている。また、ワイヤ１７１は、胴部１１０の外周面に設けられた複数のガイドパイプ１１７に挿通されることにより、胴部１１０に支持されている。ワイヤ１７１の他端には、指を挿入可能な円形のリング１７１ａが設けられている。このリング１７１ａを牽引することにより、カメラ１６１の光軸の角度を変えることができる。
【００４９】
（保持部）
保持部１８０は、胴部１１０の位置を手で支えるための部材である。保持部１８０は、グリップ１８１、パイプ支持部１８２、ワイヤ支持部１８３を有する。グリップ１８１は、手で把持可能な円柱形状の部材である。胴部１１０に対して、グリップ１８１は直交する方向に固定されている。
【００５０】
パイプ支持部１８２は、主パイプ１１４の端部近傍が挿通されて固定される部材である。ワイヤ支持部１８３は、ワイヤ１７１をパイプ支持部１８２とグリップ１８１との間に支持する。円板状のワイヤ支持部１８３は、グリップ１８１の軸方向のネジがねじ込まれた円板状のローレットナットを有し、ローレットナットとグリップ１８１との間でワイヤ１７１を挟む。つまり、ローレットナットを弛めた状態で、ワイヤ１７１を牽引してカメラ１６１の角度を調整した後、ローレットナットを締め付け固定することにより、ワイヤ１７１を固定する。
【００５１】
［サムターン解錠動作］
以上のようなサムターン解錠工具１００による解錠動作は、以下の通りである。なお、本発明は、サムターン解錠工具１００を用いてサムターンＳを回動させて解錠する方法としても捉えることができる。
【００５２】
まず、作業者は、伸縮部１１３によって胴部１１０の長さを調節する。つまり、ドアＤの正面側から見て、孔ｈの位置から鍵穴Ｋの位置までの距離を目安に、固定ネジ１１３ｂを弛めて主パイプ１１４と中間パイプ１１５との距離を調節して、固定ネジ１１３ｂを締め直す。
【００５３】
次に、作業者は、図６に示すように、把持ツール１２０と胴部１１０が直線状となった状態で、把持ツール１２０の先端から、ドアスコープを外したドアＤの孔ｈに挿入する。このとき、把持ツール１２０は略水平方向となっている。作業者は、そのまま奥側に挿入を進めて、胴部１１０の主パイプ１１４も孔ｈを通過させる。このとき、カメラ１６１も、孔ｈから挿入する。そして、図７に示すように、胴部１１０の湾曲部１１２が孔ｈを通過する際に、把持ツール１２０が略垂直方向となるように、胴部１１０の角度を変える。
【００５４】
この状態で、図３に示すように、作業者がフレキシブルワイヤ１３１を手前に引っ張ることによって、屈折部１１１を屈折させて、把持ツール１２０を略水平方向にする。作業者は、グリップボルト１３２ｂを締め付けることにより、胴部１１０に対するフレキシブルワイヤ１３１の位置を固定する。これにより、把持ツール１２０の胴部１１０に対する角度が固定される。なお、調整部１３３のナット部１３３ｂを回動させることによって、把持ツール１２０の角度を微調整することができる。
【００５５】
また、作業者は、リング１７１ａを持ってワイヤ１７１を手前に引っ張ることによって、カメラ１６１の光軸が、把持ツール１２０の先端に向かい、視野範囲に挟持部１２２が入るようにする。このとき、作業者は、カメラ１６１により撮像された画像を、モニタＭで視認しながら、ワイヤ１７１の引張量を調整する。カメラ１６１の方向が定まったら、ワイヤ支持部１８３によってワイヤ１７１を固定する。これにより、カメラ１６１の把持ツール１２０に対する角度が固定される。
【００５６】
さらに、把持ツール１２０の先端の画像をモニタＭで視認しながら、胴部１１０を軸周りに回動させて、把持ツール１２０の先端を、サムターンＳに向かう位置に合わせる。図１（Ｂ）に示すように、サムターンＳは、孔ｈの直下ではなく、水平方向にずれた位置にあるため、ドアＤの背面側にある胴部１１０は、垂直方向に対して傾斜した方向となる。
【００５７】
作業者は、図３、図８（Ａ）〜（Ｄ）に示すように、胴部１１０を手前に引きながら、サムターンＳに向かう把持ツール１２０の先端を、サムターンＳに近づけて、クリップ部材１２２ａ、１２２ｂによってサムターンＳを挟み込む。このとき、図９（Ａ）〜（Ｃ）に示すように、ボタンＢの縁部に、クリップ部材１２２ａ、１２２ｂのガイド孔１２２ｃの内縁がかかる。このため、クリップ部材１２２ａ、１２２ｂの位置が、サムターンＳの中央から多少ずれていても、ガイド孔１２２ｃがボタンＢの縁部に沿って移動する。このように、サムターンＳを挟んだクリップ部材１２２ａ、１２２ｂが、ガイド孔１２２ｃによってガイドされながら移動して、ボタンＢを押圧する。
【００５８】
そして、図３に示すように、パイプストッパー１５０のローレットネジ１５２を締め付け固定することによって、胴部１１０が奥側に移動してサムターンＳからクリップ部材１２２ａ、１２２ｂが外れることを防止する。
【００５９】
この状態で、フレキシブルワイヤ１３１を軸周りに回動させることにより、把持ツール１２０を軸周りに回動させる。すると、図８（Ｅ）に示すように、クリップ部材１２２ａ、１２２ｂに挟まれたサムターンＳが回動する。これにより、デッドボルトが退入してストライクから外れて解錠されるので、ハンドルＨ２を回動させてラッチボルトをストライクから外して手前に引くことにより、ドアＤを開けることができる。
【００６０】
［作用効果］
（１）本実施形態のサムターン解錠工具１００は、ドアＤに形成されたドアスコープの孔ｈに、ドアＤの正面側から挿通可能な外径を有する棒状体であって、屈折により所定の方向に角度変更可能な屈折部１１１を有する胴部１１０と、胴部１１０の一端に設けられ、孔ｈに挿通可能であるとともに、ドアＤに設けられた施錠装置のサムターンＳを把持するための把持ツール１２０と、孔ｈに挿通された把持ツール１２０とともに、屈折部１１１がドアＤの背面側にある状態で、ドアＤの正面側からの操作により、把持ツール１２０がサムターンＳを把持可能となる方向に屈折部１１１を屈折させ、サムターンＳを把持した把持ツール１２０を回動させる第１の操作部１３０と、を有する。
【００６１】
このため、把持ツール１２０の軸が胴部１１０の軸の延長線上にある状態で、孔ｈから挿入することができ、孔ｈに挿入した後に、屈折部１１１を屈折すればよい。従って、挿入時には胴部１１０の端部が邪魔になることがなく、容易に且つ素早く挿入することができる。つまり、容易に且つ短時間でサムターンを回動させて解錠できる。本実施形態では、把持ツール１２０のサムターンＳの軸方向から把持することができるので、滑り難い。また、本実施形態では、胴部１１０は硬質の部材であり、屈折部１１１の回動量θが規制されているため、フレキシブルな部材によって角度変更を実現するよりも角度の自由度が少なく、安定してサムターンＳを把持できる。
【００６２】
（２）胴部１１０の一端は、略円弧状の湾曲部１１２を有する。このため、胴部１１０の角度を変えながらスムーズに挿入することができる。つまり、胴部１１０に角を有する場合には、孔ｈへの挿入が困難となるが、湾曲部１１２に沿って挿入することにより、スムーズに且つ素早く挿入するとができる。
【００６３】
（３）第１の操作部１３０は、一端が把持ツール１２０に接続されるとともに、胴部１１０の他端側に延びたフレキシブルワイヤ１３１を有する。このため、フレキシブルワイヤ１３１を引っ張る作業によって、把持ツール１２０の角度を容易に変更できる。
【００６４】
（４）胴部１１０に対するフレキシブルワイヤ１３１の位置を固定する固定部１３２ａを有する。このため、一旦決めた把持ツール１２０の胴部１１０に対する角度を固定しておくことができ、安定した作業を行うことができる。
【００６５】
（５）胴部１１０の長さを可変とする伸縮部１１３を有する。このため、孔ｈとサムターンＳとの距離に応じて、胴部１１０の長さを調節できる。伸縮部１１３の接続パイプ１１３ａの固定部分は平坦面１１３ｃを有するため、軸周りに回動し難くなる。
【００６６】
（６）孔ｈに挿入された胴部１１０の挿入方向への移動を規制するパイプストッパー１５０を有する。このため、把持ツール１２０によってサムターンＳを把持した後、ドアＤに対して胴部１１０がずれて、把持ツール１２０がサムターンＳから外れることを防止できる。つまり、サムターンＳを回そうとするときに、奥側に滑って外れることを防止できる。
【００６７】
（７）把持ツール１２０は、サムターンＳを挟む挟持部１２２を有し、挟持部１２２は、サムターンＳのボタンＢに沿って挟持部１２２の移動をガイドするガイド孔１２２ｃを有する。このため、挟持部１２２がサムターンＳを挟む際に、ボタンＢにガイド孔１２２ｃが沿うことにより、確実にボタンＢを押圧することができる。本実施形態では、ドアＤの背面側から、把持ツール１２０のサムターンＳの軸方向に滑らせて挟み込むことができるので、ボタンＢから外れ難い。
【００６８】
（８）サムターンＳの画像を検出する撮像部１６０と、ドアＤの正面側から撮像部１６０の光軸の角度を操作する第２の操作部１７０を有する。このため、ドアＤの正面側からは見えない状況を、視覚により確認することができるので、作業者の技量によらず、正確で安定した作業を行うことができる。
【００６９】
［他の実施形態］
本発明は、上記の実施形態に限定されるものではない。
（１）胴部１１０は、屈折部１１１を複数有していてもよい。例えば、湾曲部１１２に代えて、曲がりの部分を屈折部１１１により構成して、胴部１１０を孔ｈに挿入した後に、第１の操作部１３０によって屈折部１１１の角度を変更してもよい。フレキシブルワイヤ１３１を引っ張ることによって、複数の屈折部１１１が屈折して、胴部１１０全体として略Ｕ字形となるようにしてもよい。この場合、孔ｈへの挿入時には、胴部１１０の全体を直線状にして容易に挿入することができる。
【００７０】
（２）解錠の対象となる施錠装置の構成は、上記の態様には限定されない。例えば、室内から施錠装置を解錠させることができるサムターンＳを有する装置であればよく、シリンダー錠には限定されない。
【符号の説明】
【００７１】
１００  サムターン解錠工具
１１０  胴部
１１１  屈折部
１１２  湾曲部
１１２ａ  ネジ孔
１１３    伸縮部
１１３ａ  接続パイプ
１１３ｂ  固定ネジ
１１３ｃ  平坦面
１１４    主パイプ
１１５    中間パイプ
１１５ａ  ネジ孔
１１６    先端パイプ
１１７    ガイドパイプ
１２０    把持ツール
１２１    基体部
１２２    挟持部
１２２ａ  クリップ部材
１２２ｂ  クリップ部材
１２２ｃ  ガイド孔
１３０    第１の操作部
１３１    フレキシブルワイヤ
１３２    ワイヤストッパー
１３２ａ  固定部
１３２ｂ  グリップボルト
１３２ｃ  挿通孔
１３２ｄ  ネジ孔
１３２ｅ  ネジ部
１３２ｆ  グリップ
１３３    調整部
１３３ａ  ボルト部
１３３ｂ  ナット部
１５０    パイプストッパー
１５１    ブロック部
１５１ａ  挿通孔
１５１ｂ  ネジ孔
１５２    ローレットネジ
１５２ａ  ネジ部
１６０    撮像部
１６１    カメラ
１６２    ケーブル
１７０    第２の操作部
１７１    ワイヤ
１７１ａ  リング
１８０    保持部
１８１    グリップ
１８２    パイプ支持部
１８３    ワイヤ支持部
Ｂ        ボタン
Ｄ        ドア
Ｈ１      ハンドル
Ｈ２      ハンドル
Ｋ        鍵穴
Ｍ        モニタ
Ｓ        サムターン
ｈ        孔
【図１】
2020026722.tif 000003
【図２】
2020026722.tif 000004
【図３】
2020026722.tif 000005
【図４】
2020026722.tif 000006
【図５】
2020026722.tif 000007
【図６】
2020026722.tif 000008
【図７】
2020026722.tif 000009
【図８】
2020026722.tif 000010
【図９】
2020026722.tif 000011